(57)【要約】【課題】操作表示装置の省エネ制御を行う際に、環境の一過的及び１日の時間帯の変化による光量変化にも拘わらず、表示装置の輝度を最適に保持する。【解決手段】発光表示部の点灯条件及び設置環境の明るさに対応した輝度データと、バックライトの点灯条件及び設置環境に対応した輝度データとを記憶した記憶部を備え、ＣＰＵは操作表示手段からキー操作がある度に（Ｓ１）、光センサの検出結果が点灯条件を満たしているかを判断し（Ｓ７，Ｓ２０，Ｓ３２）、点灯条件を満たしていた場合は、輝度データに基づき発光表示部及びバックライトの輝度を設定して点灯させ（Ｓ１０，Ｓ２３，Ｓ３５，Ｓ１６，Ｓ２９，Ｓ４１）、前記発光表示部及び前記バックライトの点灯後の所定時間内に次のキー操作がなかったときには前記発光表示部及び前記バックライトを消灯する（Ｓ２，Ｓ３）。【選択図】図４
2011209669.tif 000002
【特許請求の範囲】
【請求項１】
設置環境の明るさを検出する光センサと、
発光表示部及びバックライト付き表示部を含む操作表示手段と、
前記光センサの検出出力に基づいて前記発光表示部及び前記バックライト付き表示部のバックライトの輝度を制御する制御手段と、
を備えた操作表示装置において、
前記発光表示部の点灯条件及び前記設置環境の明るさに対応した輝度データと、前記バックライトの点灯条件及び前記設置環境に対応した輝度データとを記憶した記憶部を備え、
前記制御手段は、
前記操作表示手段からキー操作がある度に、前記光センサの検出結果が前記点灯条件を満たしているかを判断し、前記点灯条件を満たしていた場合は、前記輝度データに基づき前記発光表示部及び前記バックライトの輝度を設定して点灯させ、
前記発光表示部及び前記バックライトの点灯後の所定時間内に次のキー操作がなかったときには前記発光表示部及び前記バックライトを消灯すること
を特徴とする操作表示装置。
【請求項２】
請求項１記載の操作表示装置において、
時計機能をさらに備え、
前記時計機能の時刻と予め設定された時間帯とを対応付けたデータ、及び予め設定された時間帯でそれぞれ異なる発光表示部及びバックライトの点灯条件が前記記憶部に記憶され、
前記制御手段はキー操作がある度に、前記時計機能の現在時刻と前記記憶部に登録された予め設定された時間帯のデータとを照合して現在どの時間帯なのかを判別し、該当する点灯条件を満たしているか否かを判断し、当該時間帯の光量に応じた点灯条件で点灯すること
を特徴とする操作表示装置。
【請求項３】
請求項２記載の操作表示装置において、
前記予め設定された時間帯は、朝の時間帯、昼の時間帯、夜の時間帯であること
を特徴とする操作表示装置。
【請求項４】
請求項３記載の操作表示装置において、
前記予め設定された時間帯の朝の時間帯、昼の時間帯及び夜の時間帯の開始時間をそれぞれユーザが設定する設定手段を備えていること
を特徴とする操作表示装置。
【請求項５】
請求項２ないし４のいずれか１項に記載の操作表示装置において、
前記輝度データは、周囲の明るさが暗いほど暗くなるように対応付けられていることを特徴とする操作表示装置。
【請求項６】
請求項２ないし４のいずれか１項に記載の操作表示装置において、
前記発光表示部及び前記バックライトの点灯制御を行うか否かをユーザが選択する選択手段をさらに備えるとともに、前記記憶部には、ユーザ選択により前記発光表示部及び前記バックライトの点灯制御を行うか否かのデータが記憶され、
前記制御部は前記選択手段からのユーザの選択内容に応じて前記発光表示部及び前記バックライトの点灯制御を行うか否かを決定することを特徴とする操作表示装置。 
【請求項７】
請求項６記載の操作表示装置において、
前記選択手段の選択内容には、時間帯の選択と、当該時間帯における連続点灯又は常時消灯の選択とが含まれ、
前記制御手段は、前記選択手段によって選択された時間帯と、当該時間帯における連続点灯又は常時消灯の是非の選択状態に応じて前記発光表示部及び前記バックライトの点灯制御を行うこと
を特徴とする操作表示装置。
【請求項８】
請求項２ないし４のいずれか１項に記載の操作表示装置において、
前記時計機能は、予め設定された時間毎に時計機能自身で時刻を修正すること
を特徴とする操作表示装置。
【請求項９】
請求項８記載の操作表示装置において、
前記予め設定された時間は、最小単位を１日で、日、週、月、年で設定可能であること
を特徴とする操作表示装置。
【請求項１０】
請求項８記載の操作表示装置において、
前記予め設定された時間は、カレンダ機能を用いて月日の指定が可能であること
を特徴とする操作表示装置。
【請求項１１】
請求項２ないし１０のいずれか１項に記載の操作表示装置において、
前記発光表示部がＬＥＤ表示装置からなり、前記バックライト付き表示部が液晶表示装置からなること
を特徴とする操作表示装置。
【請求項１２】
請求項２ないし１１のいずれか１項に記載の操作表示装置を備えていることを特徴とする画像形成装置。
【請求項１３】
請求項１２記載の画像形成装置において、
前記時計機能は、画像形成装置全体を制御するコントローラに設けられた時計機能と、カレンダ情報及び時刻情報を比較して、前記カレンダ情報及び時刻情報を修正すること
を特徴とする画像形成装置
【請求項１４】
請求項１２記載の画像形成装置において、
前記時計機能は、画像形成装置が有しているネットワーク機器を使って接続された外部機器が持っている時計機能と、カレンダ情報及び時間情報を比較して、カレンダ情報及び時刻情報を修正すること
を特徴とする画像形成装置。
【請求項１５】
請求項１２記載の画像形成装置において、
前記外部機器は、同一ネットワーク上の他の画像形成装置、あるいはタイムサーバであること
を特徴とする画像形成装置。
【請求項１６】
請求項１２記載の画像形成装置において、
前記時計機能は、時間情報を乗せた標準電波を受信し、カレンダ情報及び時刻情報を比較して、カレンダ情報及び時刻情報を修正すること
を特徴とする画像形成装置。
【請求項１７】
請求項１２記載の画像形成装置において、
前記時計機能は、グローバル・ポジショニング・システム衛星から時刻情報を受信し、カレンダ情報及び時刻情報を比較して、カレンダ情報及び時刻情報を修正すること
を特徴とする画像形成装置。
【請求項１８】
請求項１２記載の画像形成装置において、
前記時計機能は、公衆放送の時報を受信し、カレンダ情報及び時刻情報を比較して、カレンダ情報及び時刻情報を修正すること
を特徴とする画像形成装置。
【請求項１９】
請求項１２記載の画像形成装置において、
前記時計機能は、公衆回線より標準時刻を受信し、カレンダ情報及び時間情報を比較して、カレンダ情報及び時刻情報を修正すること
を特徴とする画像形成装置。
【請求項２０】
設置環境の明るさを検出する光センサと、
発光表示部及びバックライト付き表示部を含む操作表示手段と、
前記光センサの検出出力に基づいて前記発光表示部及び前記バックライドの輝度を制御する制御手段と、
を備えた操作表示装置の表示制御方法であって、
前記発光表示部の点灯条件及び前記設置環境の明るさに対応した輝度データと、前記バックライトの点灯条件及び前記設置環境に対応した輝度データとを記憶部に記憶し、
前記操作表示手段からキー操作がある度に、前記記憶部を参照し、前記光センサの検出結果が前記点灯条件を満たしているかを判断し、
前記点灯条件を満たしていた場合は、前記輝度データに基づき前記発光表示部及びバックライトの輝度を設定して点灯させ、
前記発光表示部及びバックライト部の点灯後の所定時間内に次のキー操作がなかったときには前記発光表示部及びバックライト部を消灯すること
を特徴とする操作表示装置の表示制御方法。
【発明の詳細な説明】
【技術分野】
【０００１】
本発明は、設置環境の明度に応じて表示輝度を制御するユーザインターフェースとして機能する操作表示装置、この操作表示装置を備えた画像形成装置、前記操作表示装置で実行される表示制御方法に関する。
【背景技術】
【０００２】
画像形成装置においては、操作部等に発光表示手段としてのＬＥＤ（Light Emitting Diode）と文字及び画像表示手段としてのＬＣＤ（Liquid Crystal Display）を装備して、ユーザの操作性を高めるようにしている。しかし、従来の画像形成装置では、周囲の明るさとは無関係にＬＥＤや、ＬＣＤのバックライトの輝度が常に一定に設定されていた。 具体的には、周囲が十分に明るい場合に対応させて、ＬＥＤやＬＣＤなどを見やすくするために、ＬＥＤやＬＣＤなどへの供給電力を高めて明るく照明させていた。
【０００３】
しかしながら、このように常に一定の輝度にてＬＥＤやＬＣＤなどの文字表示盤を明るくすると、周囲が十分に明るい場合には見やすくする効果があるが、周囲の明るさが低い場合には、過度な光量となり、無駄な電力を消費することとなっていた。
【０００４】
そこで、例えば、特許文献１（特開２００３−３３７５７１号公報）には、無駄な電力の消費を防いで省エネ化を図り得るようにした画像形成装置を提供するため、発光表示手段としてのＬＥＤと、該ＬＥＤへの供給電力を調整して明度調節する制御部と、周囲の明るさを検知するための光量検知センサと、を有する画像形成装置において、制御部が光量検知センサにより検知した装置周囲の明るさに応じてＬＥＤの明度調節を行い、これにより消費電力を減少し得るようにした発明が開示されている。
【発明の概要】
【発明が解決しようとする課題】
【０００５】
このように特許文献１記載の発明では、省エネ化を図るために光量検知センサを設置し、画像形成装置の周辺の明るさを判断し、ＬＥＤなどの輝度を調整するようにしているが、光量検知センサが一過的に影に入った場合、画像形成装置の周辺は明るくても、暗くなったと判断し、ＬＥＤなどの輝度を下げてしまい、ユーザが見難いという事態を引き起こすことがあった。光量検知センサが一過的に影に入った場合とは、例えば原稿や冊子が光を遮るような位置に置かれ、あるいは光量検知センサ上に原稿などが置かれた場合のことである。さらに、画像装置周辺の明るさは、時間帯により変わるので、前記一過性の光量変化に加えて、１日の時間帯の変化による光量変化にも対応する必要がある。
【０００６】
そこで、本発明が解決しようとする課題は、操作表示装置の省エネ制御を行う際に、環境の一過的な光量の変化、及び１日の時間帯の変化による光量変化にも拘わらず、表示部の輝度を最適に保持することができるようにすることにある。
【課題を解決するための手段】
【０００７】
前記課題を解決するため、第１の手段は、設置環境の明るさを検出する光センサと、発光表示部及びバックライト付き表示部を含む操作表示手段と、前記光センサの検出出力に基づいて前記発光表示部及び前記バックライトの輝度を制御する制御手段と、を備えた操作表示装置において、前記発光表示部の点灯条件及び前記設置環境の明るさに対応した輝度データと、前記バックライト付き表示部の点灯条件及び前記設置環境に対応した輝度データとを記憶した記憶部を備え、前記制御手段は、前記操作表示手段からキー操作がある度に、前記光センサの検出結果が前記点灯条件を満たしているかを判断し、前記点灯条件を満たしていた場合は、前記輝度データに基づき前記発光表示部及び前記バックライトの輝度を設定して点灯させ、前記発光表示部及び前記バックライトの点灯後の所定時間内に次のキー操作がなかったときには前記発光表示部及び前記バックライトを消灯すること特徴とする。
【０００８】
第２の手段は、第１の手段に係る操作表示装置を画像形成装置が備えていることを特徴とする。
【０００９】
第３の手段は、設置環境の明るさを検出する光センサと、発光表示部及びバックライト付き表示部を含む操作表示手段と、前記光センサの検出出力に基づいて前記発光表示部及び前記バックライドの輝度を制御する制御手段と、を備えた操作表示装置の表示制御方法であって、前記発光表示部の点灯条件及び前記設置環境の明るさに対応した輝度データと、前記バックライトの点灯条件及び前記設置環境に対応した輝度データとを記憶部に記憶し、前記操作表示手段からキー操作がある度に、前記記憶部を参照し、前記光センサの検出結果が前記点灯条件を満たしているかを判断し、前記点灯条件を満たしていた場合は、前記輝度データに基づき前記発光表示部及びバックライトの輝度を設定して点灯させ、  前記発光表示部及びバックライト部の点灯後の所定時間内に次のキー操作がなかったときには前記発光表示部及びバックライト部を消灯することを特徴とする。
【００１０】
なお、後述の実施形態では、光センサは符号５に、発光表示部はＬＥＤ３にバックライト付き表示部はＬＣＤ４及びＬＣＤバックライト４ａに、制御手段はＣＰＵ８に、発光表示部の点灯条件はＬＥＤ点灯条件データ６ｂに、輝度データはＬＥＤ輝度データ６ｃに、バックライト付き表示部の点灯条件はＬＣＤ点灯条件データ６ｄに、ＬＣＤ輝度データ６ｅに、記憶部はメモリ６に、キーは符号３ａに、操作表示装置は操作パネル２に、画像形成装置は複写機１に、それぞれ対応する。
【発明の効果】
【００１１】
本発明によれば、操作表示手段からキー操作がある度に、光センサの検出結果が点灯条件を満たしているかを判断し、点灯条件を満たしていた場合は、輝度データに基づき発光表示部及びバックライト付き表示部のバックライトの輝度を設定して点灯させ、発光表示部及びバックライトの点灯後の所定時間内に次のキー操作がなかったときには前記発光表示部及び前記バックライトを消灯するので、操作表示装置の省エネ制御を行う際に、環境の一過的な光量の変化及び１日の時間帯の変化による光量変化にも拘わらず、表示部の輝度を最適に保持することができる。
【図面の簡単な説明】
【００１２】
【図１】一般的な画像形成装置を示す正面図である。
【図２】図１に示した画像形成装置が装備される一般的な操作表示部の正面図である。
【図３】本発明の実施形態に係る操作表示部の制御構成を示すブロック図である。
【図４】図３の制御構成におけるＣＰＵのＬＥＤ、ＬＣＤ及びＬＣＤバックライトの点灯制御の制御手順を示すフローチャートである。
【発明を実施するための形態】
【００１３】
本発明は、操作表示手段からキー操作がある度に、光センサの検出結果が点灯条件を満たしているかを判断して点灯制御するので、光量検知センサが一過的に影になった場合でも、操作表示装置が設置された装置の設置個所周辺の明るさが時間帯によって変化した場合でも、常に最適な輝度で表示できるようにすることを特徴としている。
【００１４】
以下、本発明の実施形態について、図面を参照しながら説明する。
【００１５】
図１は一般的な画像形成装置を示す正面図、図２は図１に示した画像形成装置が装備される一般的な操作表示部の正面図である。本発明の実施形態に係る画像形成装置は、図１に示すような複写機、プリンタ、ファクシミリ装置、あるいは、これらの機能を複合して備えたデジタル複合機（ＭＦＰ）などの画像形成装置である。ここでは、画像形成装置を複写機として説明する。
【００１６】
図１及び図２に示すように、複写機１の操作パネル２には、ＬＥＤ３、文字図形の表示手段としての液晶表示部（以下、ＬＣＤと称す。）４が操作確認、又は操作入力用の操作表示手段として装備されている。ＬＣＤ４を操作入力に使用する場合には、透明な座標入力装置と組みあわせてタッチパネルとして構成される。また、これらＬＥＤ３あるいはＬＣＤ４の付近に光センサ５が設けられ、この光センサ５によって複写機１の設置環境下のける装置周辺の光量若しくは明るさの度合いを検知する。そして、図示しない制御部が光センサ５によって検知された前記光量若しくは明るさの度合いに基づいて複写機１周囲の明るさを判断し、ＬＥＤ３、及びＬＣＤ４の明度を視覚で認識できる適度な明るさに調節している。
【００１７】
図３は前記操作表示部２の制御構成を示すブロック図である。同図において、操作表示部２は、ユーザが情報を入力するためのキー入力部３ａ、各種情報を表示するためのＬＣＤ４、キー入力部３を照らすＬＥＤ３、ＬＣＤ４を照らすＬＣＤバックライト４ａ、周囲の明るさ（照度）を検出する光量検知センサ５、ＲＡＭ等のメモリ６、カレンダ情報（年月日），時刻情報を生成する時計部７、及びプログラムにより動作を制御するＣＰＵ８を備えている。
【００１８】
ＣＰＵ８は図示しないＲＯＭに格納されたプログラムを読み出し、図示しないＲＡＭに展開し、当該ＲＡＭをワークエリア及びデータバッファとして使用しながら前記プログラムで定義された制御を実行する。なお、ＲＡＭはメモリ６を使用するように構成することもできる。
【００１９】
光センサ５は所謂光量検知センサであり、光センサ５に入射する光量を電気量に変換し、出力する機能を有する。
【００２０】
メモリ６には、朝、昼、夜などの時間帯データ６ａ、ＬＥＤ３の点灯条件データ６ｂ、ＬＥＤ輝度データ６ｃ、ＬＣＤ４の点灯条件データ６ｄ、及びＬＣＤバックライト輝度データ６ｅが予め記憶されている。時間帯データ６ｂとしては、朝の時間帯、昼の時間帯、夜の時間帯が予め設定されている。例えば、午前６時〜午前１０時が朝の時間帯、午前１０時〜午後５時が昼の時間帯、午後５時〜午前６時が夜の時間帯というように予め設定され、前記各時間帯の開始時間は、それぞれユーザがテンキー若しくは液晶タッチパネルから設定可能である。
【００２１】
ＬＥＤ点灯条件データ６ｂとしては、朝、昼、夜のそれぞれの時間帯における点灯条件データが予め登録されている。点灯条件データは、朝、昼、夜のそれぞれの時間帯における光センサ５の閾値データ、及び閾値未満の周囲の明るさが何回連続したときにＬＥＤ３の輝度を制御するかを規定する基準回数が登録されており、光センサ５が検出した周囲の明るさの値が、規定回数連続して閾値未満の場合は、ＣＰＵ８はＬＥＤ３ａの輝度を下げる。
【００２２】
閾値未満の周囲の明るさが規定回数連続したときにＬＥＤ３ａの輝度を下げるように制御するのは、複写機１が設置された場所、設置された地域などにより光センサ５が検知する光量が異なるからである。すなわち、従来では、ユーザの手や原稿などの周囲の物等が誤って光センサ５を一時的に覆ってしまった場合等、光センサ５への光がたまたま遮られたような一過的な状況のときにＬＥＤ３の輝度が下がってしまう場合があったが、このような場合、光センサ５の検出値は暗くても、操作表示部２の周辺環境は明るいため、ＬＥＤ３の輝度を下げる必要はなく、この一過性の暗さによる制御を防止することが望ましい。
【００２３】
そこで、ＬＥＤ点灯条件データ６ｂの朝、昼、夜のそれぞれの時間帯における光センサ５の閾値データと、閾値未満の周囲の明るさが何回連続したときにＬＥＤ３の輝度を制御するかを規定する基準回数を、複写機１の設置環境に応じてユーザが設定する。これにより、複写機１が設置された場所、設置された地域などにより異なったとしても、前記設置場所や設置地域に合わせた回数がユーザ自身によって設定できるので、一過性の暗さによる制御を防止することができる。
【００２４】
ＬＥＤ輝度データ６ｃとしては、ＬＥＤ３の点灯時の輝度を決定する輝度データが予め登録されている。 このデータは、周囲の明るさが暗いほどＬＥＤ３を暗くするように、周囲の明るさとＬＥＤ３の輝度とを対応付けて登録されている。これにより、周囲が暗い場合の明るすぎるＬＥＤ３の点灯を防止するとともに、周囲の明るさに応じたＬＥＤ３の点灯輝度とすることができる。
【００２５】
ＬＣＤ点灯条件データ６ｄもＬＥＤ点灯条件データ６ｂと同様に、朝、昼、夜のそれぞれの時間帯における点灯条件データが予め登録されている。また、朝、昼、夜のそれぞれの時間帯における光センサ５の閾値データと、閾値未満の周囲の明るさが何回連続したときにＬＣＤバックライト４ａの輝度を制御するかを規定する基準回数が登録されており、光センサ５が検出した周囲の明るさの値が、規定回数連続して閾値未満の場合はＬＣＤバックライト４ａの輝度を下げる。閾値未満の周囲の明るさが規定回数連続したときにＬＣＤバックライト４ａの輝度を下げるように制御するのは、ＬＥＤ３の場合と同様である。なお、ＬＥＤ３の点灯条件データ６ｂとＬＣＤ４の点灯条件データ６ｄはそれぞれ独立して設定されるが、同じデータを用いることも可能である。
【００２６】
ＬＣＤ輝度データ６ｅとしては、ＬＣＤバックライト４ａの点灯時の輝度を決定する輝度データが予め登録されている。このデータは、周囲の明るさが暗いほどＬＣＤバックライト４ａを暗くするように、周囲の明るさとＬＣＤバックライト４ａの輝度とが対応付けて登録されている。これにより、周囲が暗い場合の明るすぎるＬＣＤバックライト４ａの点灯を防止するとともに、周囲の明るさに応じたＬＣＤバックライト４ａの点灯輝度とすることができる。なお、ＬＥＤ輝度データ６ｃとＬＣＤ輝度データ６ｅはそれぞれ独立して設定されるが、同じデータを用いることも可能である。
【００２７】
さらに、「内蔵された時計機能の時刻」が、正規の時間と大幅にずれてしまったとき（例：実際は昼の１２時なのに、時計は午前０時を示すなど、半日ずれてしまう場合とか）のＬＥＤ３、ＬＣＤ４の点灯条件を調整することにより、正確に制御することができる。このため本実施形態では、時計の時刻だけに頼らないで（時計表示が大幅に間違っていたとしても）、朝、昼、夜の各時間帯を把握し、内蔵された時計機能の時刻を自動的に修正する。
【００２８】
内蔵された時計部７は、カレンダ及び時刻の修正機能を有しており、予め登録された期間毎に、操作表示部２以外の機器が有する時計機能とカレンダ情報及び時間情報を比較してカレンダ及び／又は時刻の修正を行う。操作表示部２以外の機器としては、例えば複写機１本体や、複写機１が備えているネットワーク機能を使って接続された外部の機器が挙げられる。外部の機器はネットワーク内の別の画像形成装置、あるいはタイムサーバなどである。
【００２９】
これらの他に時計機能の時間修正の方法としては、時間情報を乗せてある標準電波を受信し、カレンダ情報、時間情報を比較して、カレンダや時刻の修正を行う方法、グローバル・ポジショニング・システム（GPS）衛星からの時間情報を受信し、カレンダ情報、時間情報を比較して、カレンダや時刻の修正を行う方法、ラジオあるいはテレビなどの時報を受信し、カレンダ情報、時間情報を比較して、カレンダや時刻の修正を行う方法、電話回線より標準時刻を受信し、カレンダ情報、時間情報を比較して、カレンダや時刻の修正を行う方法など、種々の方法が使用できる。
【００３０】
予め登録された期間の単位は、例えば日、週、月、年で選択することが可能であり、最小単位を１日として設定することができる。また、カレンダ機能を用いて月日を指定して修正することも可能である。
【００３１】
図４は、本実施形態におけるＬＥＤ、ＬＣＤ及びＬＣＤバックライトの点灯制御の制御手順を示すフローチャートである。このフローチャートに示された処理は、ＣＰＵ８が前記プログラムに基づいて実行する。  
同図において、ＣＰＵ８は操作表示部２のキー入力部３ａからキー入力の有／無を判断し（ステップＳ１）、キー入力がない場合はＬＥＤ３を消灯し（ステップＳ２）、さらにＬＣＤ４を消灯し（ステップＳ３）、キー入力部３ａからのキー入力動作を待つ。
【００３２】
ステップＳ１でキー入力がある場合は、内蔵された時計部７から時間データを取得し、時間帯を判別する（ステップＳ４）。時間帯の判別は、朝（ステップＳ４：Ｙ）、昼（ステップＳ１７：Ｙ）、夜（ステップＳ１７：Ｎ）である。
【００３３】
時間帯が朝であれば（ステップＳ４：Ｙ）、朝のＬＥＤ点灯条件データ６ｂをメモリ６から読み出し（ステップＳ５）、光センサ５の検出値を取得する（ステップＳ６）。ＬＥＤ点灯条件データ６ｂには、輝度を制御するか否かを規定する基準となる回数が登録されている。この規定回数はユーザ操作により変更も可能である。また、ステップＳ６で取得する光センサ５の検出値には検出レベルのみならず前記規定回数も含まれる。なお、ユーザ操作は操作表示部２のＬＣＤ４画面から階層の下の画面（ここでは規定回数の設定画面）を呼出して、タッチパネルであるＬＣＤ４画面から入力する。以下、同様。
【００３４】
次いで、取得した光センサ５の検出値と予め設定された前述の閾値を比較し（ステップＳ７）、光センサ５が検出した周囲の明るさの値が、規定回数連続して閾値未満であれば（ステップＳ７：Ｙ）、朝用の暗いＬＥＤの輝度データ６ｃをメモリ６から読み出し（ステップＳ８）、読み出した輝度データ６ｃに基づいてＬＥＤ３を点灯する（ステップＳ１０）。そうでなければ（ステップＳ７：Ｎ）朝用の明るいＬＥＤの輝度データ６ｃをメモリ６から読み出し（ステップＳ９）、読み出した輝度データ６ｃに基づいてＬＥＤ３を点灯する（ステップＳ１０）。
【００３５】
次いで、朝のＬＣＤバックライト点灯条件データ６ｄをメモリ６から読み出し（ステップＳ１１）、光センサ５の検出値を取得する（ステップＳ１２）。ＬＣＤ点灯条件データ６ｄには、輝度を制御するか否かを規定する基準となる回数も登録されている。この規定回数はＬＥＤ点灯条件データ６ｂと同様にユーザ操作により変更も可能である。また、ステップＳ１２で取得する光センサ５の検出値には前記規定回数も含まれる。以下、同様。
【００３６】
取得した光センサ５の検出値と予め設定された閾値を比較し（ステップＳ１３）、光センサ５が検出した周囲の明るさの値が、規定回数連続して閾値未満であれば（ステップＳ１３：Ｙ）、朝用の暗いＬＣＤバックライトの輝度データ６ｅをメモリ６から読み出し（ステップＳ１４）、読み出した輝度データ６ｅに基づいてＬＣＤバックライト４ａを点灯する（ステップＳ１６）。そうでなければ（ステップＳ１３：Ｎ）朝用の明るいＬＣＤバックライトの輝度データ６ｄをメモリから読み出し（ステップＳ１５）、読み出した輝度データ６ｅに基づいてＬＣＤバックライト４ａを点灯する（ステップＳ１６）。
【００３７】
時間帯が昼であれば（ステップＳ１７：Ｙ）、昼のＬＥＤ点灯条件データ６ｂをメモリ６から読み出し（ステップＳ１８）、光センサ５の検出値を取得する（ステップＳ１９）。取得した光センサ５の検出値と予め設定された閾値を比較し（ステップＳ２０）、光センサ５が検出した周囲の明るさの値が、規定回数連続して閾値未満であれば（ステップＳ２０：Ｙ）、昼用の暗いＬＥＤの輝度データ６ｃをメモリ６から読み出し（ステップＳ２１）、読み出した輝度データ６ｃに基づいてＬＥＤ３を点灯する（ステップＳ２３）。そうでなければ（ステップＳ２０：Ｎ）昼用の明るいＬＥＤの輝度データ６ｃをメモリ６から読み出し（ステップＳ２２）、読み出した輝度データ６ｃに基づいてＬＥＤ３を点灯する（ステップＳ２３）。
【００３８】
次いで、昼のＬＣＤバックライト点灯条件データ６ｄをメモリ６から読み出し（ステップＳ２４）、光センサ５の検出値を取得する（ステップＳ２５）。取得した光センサ５の検出値と予め設定された閾値を比較し（ステップＳ２６）、光センサ５が検出した周囲の明るさの値が、規定回数連続して閾値未満であれば（ステップＳ２６：Ｙ）、昼用の暗いＬＣＤバックライトの輝度データ６ｅをメモリ６から読み出し（ステップＳ２７）、読み出した輝度データ６ｅに基づいてＬＣＤバックライト４ａを点灯する（ステップＳ２９）。そうでなければ（ステップＳ２６：Ｎ）昼用の明るいＬＣＤバックライトの輝度データ６ｅをメモリ６から読み出し（ステップＳ２８）、読み出した輝度データ６ｅに基づいてＬＣＤバックライト４ａを点灯する（ステップＳ２９）。
【００３９】
時間帯が夜であれば（ステップＳ１７：Ｎ）、夜のＬＥＤ点灯条件データ６ｂをメモリ６から読み出し（ステップＳ３０）、光センサ５の検出値を取得する（ステップＳ３１）。取得した光センサ５の検出値と予め設定した閾値を比較し（ステップＳ３２）、光センサ５が検出した周囲の明るさの値が、規定回数連続して閾値未満であれば（ステップＳ２０：Ｙ）夜用の暗いＬＥＤの輝度データ６ｃをメモリ６から読み出し（ステップＳ３３）、読み出した輝度データ６ｃに基づいてＬＥＤ３を点灯する（ステップＳ３５）。検出値が閾値以上であれば夜用の明るいＬＥＤ３の輝度データ６ｃをメモリ６から読み出し（ステップＳ３４）、読み出した輝度データ６ｃに基づいてＬＥＤ３を点灯する（ステップＳ３５）。
【００４０】
次いで、夜のＬＣＤバックライト点灯条件データ６ｄをメモリ６から読み出し（ステップＳ３６）、光センサ５の検出値を取得する（ステップＳ３７）。取得した光センサ５の検出値と予め設定した閾値を比較し（ステップＳ３８）、光センサ５が検出した周囲の明るさの値が、規定回数連続して閾値未満であれば（ステップＳ３８：Ｙ）、夜用の暗いＬＣＤバックライトの輝度データ６ｅをメモリから読み出し（Ｓ３９）、読み出した輝度データ６ｅに基づいてＬＣＤバックライト４ａを点灯する（ステップＳ４１）。そうでなければ（ステップＳ３８：Ｎ）夜用の明るいＬＣＤバックライトの輝度データ６ｅをメモリ６から読み出し（ステップＳ４０）、読み題した輝度データ６ｅに基づいてＬＣＤバックライト４ａを点灯する（ステップＳ４１）。
【００４１】
図４の処理手順では、先にも触れたが、ステップＳ５，Ｓ１８，Ｓ３０の各ＬＥＤ点灯条件の中に、輝度を制御するか否かを規定する基準回数が登録されており、ステップＳ６，Ｓ１９，Ｓ３１においてそれぞれ前ステップで取得した検出値からステップＳ７，Ｓ２０，Ｓ３２で登録された基準回数を比較する。同様に、ステップＳ１１，Ｓ２４，Ｓ３６の各ＬＣＤバックライト点灯条件の中にバックライトの輝度を制御するか否かを規定する基準回数が登録されており、ステップＳ６，Ｓ１９，Ｓ３１においてそれぞれ前ステップで取得した検出値からステップＳ７，Ｓ２０，Ｓ３２で登録された基準回数を比較する。
【００４２】
以上のように、本実施形態によれば、
１）光センサ５が一過的に影になった場合（例えば原稿などにより）でも、ＬＥＤあるいはＬＣＤバックライトの輝度を常に最適に設定することができる。  
２）時間帯によりＬＥＤあるいはＬＣＤバックライトの輝度を最適に設定することができる。  
３）ＬＥＤ、ＬＣＤバックライトの表示部を構成する素子等への供給電力を、周囲の明るさの度合いに応じて変化させて、無駄な電力の消費を防ぎ、省エネ化を図ることができる。  
４）ＬＥＤあるいはＬＣＤバックライトの輝度を常に最適に設定することができるので、表示の見難さを解消することができる。  
５）時計機能の時刻修正を自動的に行うので、ユーザの手間なく１日の時間帯の変化による光量変化にも拘わらず、ＬＥＤあるいはＬＣＤバックライトの輝度を常に最適に設定することができる。  
等の効果を奏する。
【００４３】
なお、本実施形態では、操作表示装置を画像形成装置の操作表示部に例をとって説明しているが、設置環境における明るさが１日のうちの時刻によって変化するような装置に使用される操作表示装置全てに適用することができる。このように本発明は本実施形態に限定されるものではなく種々の変形が可能であり、特許請求の範囲に記載された発明の技術思想に含まれる技術的事項の全てが本発明の対象となる。
【符号の説明】
【００４４】
１  複写機
２  操作パネル
３  ＬＥＤ
４  ＬＣＤ
４ａ  ＬＣＤバックライト
５  光センサ
６  メモリ
６ａ  時間帯データ
６ｂ  ＬＥＤ点灯条件データ
６ｃ  ＬＥＤ輝度データ
６ｄ  ＬＣＤ点灯条件データ
６ｅ  ＬＣＤ輝度データ
７  内蔵時計
８  ＣＰＵ
【先行技術文献】
【特許文献】
【００４５】
【特許文献１】特開２００３−３３７５７１号公報
【図１】
2011209669.tif 000003
【図２】
2011209669.tif 000004
【図３】
2011209669.tif 000005
【図４】
2011209669.tif 000006